(57)【要約】      （修正有）【課題】小型化を図ってデザイン的に改善するとともに点灯装置による影の部分をなくすことのできる照明器具を提供する。【解決手段】発光管３１が長手方向中央部３１ａを始点として同一平面に沿って渦巻状に旋回された蛍光ランプ３０を取り付ける際に、点灯装置４０を蛍光ランプ３０に隣接して配置するので、照明器具のコンパクト化を図ることができる。また、断面が非正方形の略角柱形状である点灯装置４０の最小面積である側面４４を灯体の照射面と同一面に沿って配置したので、照明器具を正面から見た際の点灯装置４０の面積を小さくすることができ、照明器具のデザイン性を改善することができるとともに、点灯装置４０による影の発生を抑えることができる。【選択図】図３
2008204697.tif 000002
【特許請求の範囲】
【請求項１】
管状の放電路が長手方向中央部を始点として同一平面に沿って渦巻状に旋回された発光管と、
前記発光管の両端部にそれぞれ設けられた一対の口金と、前記口金に設けられて前記発光管の旋回軸に対して直交する平面に沿って延びるランプピンとを備えた蛍光ランプと、
前記蛍光ランプに電力を供給する点灯装置と、
を灯体の内に備えた照明器具であって、
前記蛍光ランプと前記点灯装置とが隣接配置され、
前記点灯装置が略角柱形状であると共に、長手方向に対して直交する横断面形状が非正方形とされ、
前記蛍光ランプの旋回軸に対して直交する接線に沿うとともに前記灯体の開口側の照射面と、前記点灯装置の側面のうちの最小面積側面とが同一面に沿って配置されている照明器具。
【請求項２】
前記蛍光ランプの前記照射面とは反対側の裏面における前記旋回軸線よりも前記点灯装置側に取付装置を備えている請求項１記載の照明器具。
【請求項３】
前記取付装置が可動アームである請求項１または２記載の照明器具。
【発明の詳細な説明】
【技術分野】
【０００１】
本発明は、中央部を始点として同一平面に沿って渦巻状に旋回された蛍光ランプを有する照明器具に関するものである。
【背景技術】
【０００２】
図７に示すように、従来の照明器具１００では、支柱１０１に器具本体１０２を突出して取り付け、器具本体１０２の上下から上蓋および下蓋（図示省略）を取付けている。器具本体１０２の内部両側には凹部１０３、１０３が設けられており、両凹部１０３、１０３間には桟部１０４が設けられている。桟部１０４には、安定器１０５、灯具ソケット１０６、点灯装置１０７等の電気部品が取付けられた電気部品取付台１０８が収納されている（例えば特許文献１参照）。
【特許文献１】実開平５−６９８１５号公報（第１図）
【発明の開示】
【発明が解決しようとする課題】
【０００３】
ところで、特許文献１に記載の照明器具１００等の従来の照明器具においては、蛍光ランプと点灯装置との位置関係が、
（１）点灯装置の上に蛍光ランプを載せる。
（２）円形の蛍光ランプの中央部のスペースに点灯装置を配置する。
（３）蛍光ランプに隣接して点灯装置を配置する。
等の構成を採る場合が多い。
【０００４】
しかしながら、（１）の構成の場合には、照明器具の厚さが大きくなって器具全体の容積も大きくなり、器具のデザイン性が損なわれる。また、（２）の構成の場合には、螺旋状の蛍光灯のような面発光光源においては、蛍光ランプの中央部に空きスペースがないため、中央部に点灯装置を配置することができない。また、（３）の構成の場合には、点灯装置が蛍光ランプの高さよりも高い場合には、点灯装置によって光が遮られて影の部分が発生するという問題がある。
【０００５】
本発明は、従来の問題を解決するためになされたもので、小型化を図ってデザイン的に改善するとともに点灯装置による影の部分をなくすことのできる照明器具を提供することを目的とする。
【課題を解決するための手段】
【０００６】
本発明の照明器具は、管状の放電路が長手方向中央部を始点として同一平面に沿って渦巻状に旋回された発光管と、前記発光管の両端部にそれぞれ設けられた一対の口金と、前記口金に設けられて前記発光管の旋回軸に対して直交する平面に沿って延びるランプピンとを備えた蛍光ランプと、前記蛍光ランプに電力を供給する点灯装置と、を灯体の内に備えた照明器具であって、前記蛍光ランプと前記点灯装置とが隣接配置され、前記点灯装置が略角柱形状であると共に、長手方向に対して直交する横断面形状が非正方形とされ、前記蛍光ランプの旋回軸に対して直交する接線に沿うとともに前記灯体の開口側の照射面と、前記点灯装置の側面のうちの最小面積側面とが同一面に沿って配置された構成を有している。
【０００７】
この構成により、発光管が長手方向中央部を始点として同一平面に沿って渦巻状に旋回された蛍光ランプを取り付ける際に、点灯装置を蛍光ランプに隣接して配置するので、照明器具のコンパクト化を図ることができる。また、断面が非正方形の略角柱形状である点灯装置の最小面積である側面を灯体の照射面と同一面に沿って配置したので、照明器具を正面から見た際の点灯装置の面積を小さくすることができ、照明器具のデザイン性を改善することができるとともに、点灯装置による影の発生を抑えることができる。
【０００８】
また、本発明の照明器具は、前記蛍光ランプの前記照射面とは反対側の裏面における前記旋回軸線よりも前記点灯装置側に取付装置を備えた構成を有している。
【０００９】
この構成により、取付装置が点灯装置に近い位置に取付けられることになるので、取付装置に沿って電源線を配線した際に、配線を短くして簡潔化することができる。
【００１０】
さらに、本発明の照明器具は、前記取付装置が可動アームである構成を有している。
【００１１】
この構成により、可動アームによって照明器具を取付けるので、照明器具に対する可動アームの相対的角度を調整して、照明器具の取付け角度を調整することができる。
【発明の効果】
【００１２】
本発明は、点灯装置を蛍光ランプに隣接して配置するので、照明器具のコンパクト化を図ることができる。また、断面が非正方形の略角柱形状である点灯装置の最小面積である側面を灯体の照射面と同一面に沿って配置したので、照明器具を正面から見た際の点灯装置の面積を小さくすることができ、照明器具のデザイン性を改善することができるとともに、点灯装置による影の発生を抑えることができるという効果を有する照明器具を提供することができるものである。
【発明を実施するための最良の形態】
【００１３】
以下、本発明の実施形態の照明器具について、図面を用いて説明する。
図１（Ａ）は本発明の実施形態にかかる照明器具を示す断面側面図、図１（Ｂ）は図１（Ａ）中Ｂ方向から見た連結部の斜視図、図２（Ａ）〜（Ｅ）は照明器具の外観を示す正面図、側面図、背面図、平面図、底面図、図３（Ａ）は灯体内部を示す正面図、図３（Ｂ）は同じく側面図、図４（Ａ）は蛍光ランプの平面図、図４（Ｂ）は同じく側面図、図５は点灯装置の斜視図、図６（Ａ）は点灯装置の平面図、図６（Ｂ）は同じく正面図、図６（Ｃ）は同じく側面図である。
【００１４】
図１〜図３に示すように、本発明の実施形態にかかる照明器具１０は、灯体２０内に蛍光ランプであるスパイラル蛍光ランプ３０と、スパイラル蛍光ランプ３０に電力を供給して点灯させる点灯装置４０とを有している。なお、灯体２０は、取付装置によって、天井や壁等に取付け可能となっている。
【００１５】
灯体２０は、矩形平板状の底板２１と、この底板２１の４辺の外周に嵌着可能な耐熱性に優れた例えばポリブチレンテレフタレート樹脂製の４枚の壁板２３とを有しており、壁板２３の内側に内部空間２５を形成している。なお、壁板２３の上端（図１（Ａ）中左端）に形成される照射面２０ａには、ランプイメージ(輝度バランス)を均一にする為の光拡散姓を有する例えばアクリル樹脂製の乳白色等の樹脂パネル２４を設けて、壁板２３と樹脂パネル２４とでカバー２２を構成するのが望ましい。
【００１６】
底板２１の中央部には矩形状の切欠き２６が設けられている。底板２１には切欠き２６を挿通して取付装置が取付けられている。また、図１（Ａ）に示すように、底板２１の内面上部には、点灯装置（電子安定器）４０が取付けられている。点灯装置４０の下方（図１（Ａ）中下方）には、底板２１の内面に反射板である取付板２１ａが取付けられており、取付板２１ａにはスパイラル蛍光ランプ３０を保持するための一対のランプ支持バネ２７、２７およびソケット２１ｂ、２１ｂが近接して取付けられている。ソケット２１ｂは、できるだけスパイラル蛍光ランプ３０の中心から離して、高温となるのを防止するのが望ましい。また、点灯装置４０からの配線をできるだけ短くするような位置に配置するのが望ましい。
【００１７】
取付板２１ａは、周縁部が折り曲げられて底板２１に取付けられており、これによってスパイラル蛍光ランプ３０の前面３１ｂと点灯装置４０の前面４４とが略同一面上に位置するようにしている（図３（Ｂ）参照）。これにより、点灯装置４０によって影となる範囲を少なくしている。また、取付板２１ａの下辺にはバネ部材２９が設けられていて、カバー２２を支持するようにされている。
従って、スパイラル蛍光ランプ３０は、灯体２０の中心よりも下方に位置することになる。また、前述したカバー２２は、点灯装置４０の上面に設けられている取付部４１にネジ４２によって着脱可能に取付けられている。
【００１８】
図１に示すように、灯体２０には取付装置が設けられており、天井や壁等に取付け可能となっている。灯体２０の底板２１の切欠き２６の内には、軸受け２８が設けられており、連結軸１２を回転可能に支持している。連結軸１２には、例えばアルミダイカスト製のパイプで全体Ｌ型の可動アーム１３の一端が一体的に取付けられている。これにより、可動アーム１３を切欠き２６に収容可能となっている。軸受け２８には連結軸１２と軸受け２８との間の回動力を調整するための調整ネジ２８ａが設けられており、切欠き２６を通して外部から視認するとともに、ドライバーを用いて調整可能となっている。
【００１９】
また、可動アーム１３の他端には、飾りナット１４を介して回転支持部１５が取付けられており、回転支持部１５の先端にはプラグ１６が取付けられている。プラグ１６は、例えば取付面である天井面に設けられている配線ダクト（図示省略）に沿って移動可能かつ電気的に導通可能となっている。回転支持部１５には、プラグ１６の抜け止め用(回転防止用)のロックが設けられており、配線ダクト（図示省略）から外す際は、回転支持部１５の外周面に設けられているロック解除用釦１５ａを押し下げる操作が必要となる。また、飾りナット１４によって可動アーム１３とプラグ１６とを増し締めすることにより、灯体２０の回転を防止して、締結の信頼性を向上させることができる。なお、飾りナット１４の外周面には、滑り止め用のローレットを刻設するのが望ましい。
【００２０】
スパイラル蛍光ランプ３０は、図４（Ａ）に示すように、管状の放電路が長手方向中央部３１ａを始点として同一平面に沿って渦巻状に旋回された発光管３１と、発光管３１の両端部にそれぞれ設けられた一対の口金３２、３２と、この口金３２に設けられて発光管３１の旋回軸ＣＬに対して直交する平面に沿って延びるランプピン３３とを備えている。従って、一対の口金３２、３２および一対のランプピン３３、３３は、発光管３１の中央部３１ａに対して、点対称の位置に位置することになる。
【００２１】
なお、発光管３１の中央部３１ａは、その他の部分に比して太径となっており、最冷点となっている。また、一対のランプピン３３、３３は、同一鉛直線上で上下に設けられている。また、前述したランプ支持バネ２７は、各々口金３２の近傍において発光管３１を支持するように配置するのが望ましい。
【００２２】
図４（Ａ）および（Ｂ）に示すように、一対の口金３２、３２は、ブリッジ３４によって連結するのが望ましい。これにより、ランプピン３３のピッチ（配置）を安定させるとともに、スパイラル蛍光ランプ３０の強度を向上させることができる。また、ブリッジ３４上で、口金３２と近接する発光管３１との間、あるいは近接する発光管３１同士の間には、充填剤３５を設けるのが望ましい。これにより、発光管３１の強度を増すとともに、発熱するランプ口金３２の放熱を図ることができる。
【００２３】
図５および図６に示すように、点灯装置４０は、略角柱形状であると共に、長手方向に対して直交する横断面形状が非正方形とされている。例えば、図６（Ｃ）に示すように、長辺４３の長さがＬ１で、短辺４４の長さがＬ２の長方形状とすることができる。点灯装置４０の一端には入力部４５が設けられており、取付装置の可動アーム１３の内部を通ってプラグ１６に導通する電力線が接続されるようになっている。また、点灯装置４０の他端部には一対の出力部４６、４６が設けられており、灯体２０の取付板２１ａに設けられている一対のソケット２１ｂ、２１ｂに接続されるようになっている。これにより、ソケット２１ｂに取付けられている口金３２のランプピン３３を介して、スパイラル蛍光ランプ３０に電力を供給するようになっている。
【００２４】
そして、図１（Ａ）に示すように、スパイラル蛍光ランプ３０の旋回軸ＣＬに対して直交する接線に沿うように、底板２１の上端部に沿って点灯装置４０の下側の短辺４４を固定している。また、前述したように、スパイラル蛍光ランプ３０を嵩上げして取付けることにより、点灯装置４０の最小面積側面である上側の短辺４４を、灯体２０の開口側の照射面２０ａ、すなわち発光管３１の前面３１ｂと同一面に沿って配置されている（図３（Ｂ）参照）。
【００２５】
点灯装置４０は重量物であり、プラグ１６を介して壁や天井に設けられている配線ダクト（図示省略）に照明器具１０を取付けるため、点灯装置４０の配置によって、配線ダクトに生じるモーメントの大きさが変わってくる。従って、点灯装置４０は、できるだけプラグ１６の位置に近い方がモーメントを小さくできるため、望ましい。
【００２６】
すなわち、図１（Ａ）に示すように、照明器具１０を天井から吊下げて、照射面２０ａを垂直にした場合、点灯装置４０の重量によるモーメントの大きさは、距離Ｄ１に比例する。この距離Ｄ１は、点灯装置４０を灯体２０の底板２１のどこに配置しても違いはない。一方、壁に取付けて、照射面２０ａを水平とした場合には、点灯装置４０の重量によるモーメントの大きさは、距離Ｄ２に比例する。この距離Ｄ２を最も小さくするには、点灯装置４０を灯体２０内の上部に配置するのが効果的である。
【００２７】
また、スパイラル蛍光ランプ３０の旋回軸線ＣＬよりも点灯装置４０側に取付装置を設けるのが望ましい。この場合には、プラグ１６から可動アーム１３の管内に挿通された電線を点灯装置４０の入力部４５に接続する際に、電線の長さを最短にすることが可能になる。これにより、灯体２０内に点灯装置４０を内蔵させた状態で、灯体２０をコンパクト化することができる。
【００２８】
なお、点灯装置４０を灯体２０内の側部に配置すると、天井に取付けた場合および壁に取り付けた場合に、可動アーム１３を捻る方向にモーメントが作用することになり、好ましくない。また、可動アーム１３の長さは、短いほどモーメントを小さくするとともにデザイン美観性は向上するが、その長さは、照明器具の配線ダクトヘの着説操作性を考慮して設定されている。
【００２９】
また、灯体２０の固定角度（すなわち、灯体２０と可動アーム１３とのなす角度）によって、可動アーム１３から連結軸１２に作用する回転力は、点灯装置４０の重心と連結軸１２の中心との距離Ｄ３に比例する。従って、点灯装置４０を連結軸１２の近くに配置して距離Ｄ３を小さくするのが望ましい。これにより、点灯装置４０の重量によって生じる取付け角度のぶれを小さくすることができる。
【００３０】
また、壁取付けの場合は、灯体２０の角度にかかわらずプラグ１６と可動アーム１３との間には可動アーム１３の軸線ＣＬ１回りの回転カが作用している。プラグ１６は回転支持部１５を介して可動アーム１３をその軸線ＣＬ１回りに回転可能に支持しているため、灯体２０は回転しようとする。このため、飾りナット１４によって可動アーム１３とプラグ１６とを増し締めすることにより、灯体２０の回転を防止して、締結の信頼性を向上させている。
【００３１】
以上、説明した照明器具１０によれば、点灯装置４０をスパイラル蛍光ランプ３０に隣接して配置するので、照明器具１０のコンパクト化を図ることができる。また、断面が非正方形の略角柱形状である点灯装置４０の最小面積である側面（短辺４４）を灯体２０の照射面２０ａと同一面に沿って配置したので、照明器具１０を正面から見た際の点灯装置４０の面積を小さくすることができ、照明器具１０のデザイン性を改善することができるとともに、点灯装置４０による影の発生を抑えることができる。
【００３２】
また、取付装置が点灯装置４０に近い位置に取付けられることになるので、取付装置に沿って電源線を配線した際に、配線を短くして簡潔化することができる。
さらに、可動アーム１３によって照明器具１０を取付けるので、照明器具１０に対する可動アーム１３の相対的角度を調整して、照明器具１０の取付け角度を調整することができる。
【００３３】
なお、本発明の照明装置は、前述した各実施形態に限定されるものでなく、適宜な変形，改良等が可能である。
例えば、前述した各実施形態においては、照明装置１０を天井等から垂下して設けた場合について説明したが、壁や床に設けることも可能である。
また、点灯装置４０の断面形状を長方形とした場合について説明したが、この他、略角柱形状であって横断面形状が正方形でないものを採用することができる。
【産業上の利用可能性】
【００３４】
以上のように、本発明にかかる照明器具は、点灯装置を蛍光ランプに隣接して配置するので、照明器具のコンパクト化を図ることができる。また、断面が非正方形の略角柱形状である点灯装置の最小面積である側面を灯体の照射面と同一面に沿って配置したので、照明器具を正面から見た際の点灯装置の面積を小さくすることができ、照明器具のデザイン性を改善することができるとともに、点灯装置による影の発生を抑えることができるという効果を有し、中央部を始点として同一平面に沿って渦巻状に旋回された蛍光ランプを有する照明器具等として有用である。
【図面の簡単な説明】
【００３５】
【図１】（Ａ）は本発明の実施形態にかかる照明器具を示す側面断面図、（Ｂ）は（Ａ）中Ｂ方向から見た連結部の斜視図である。
【図２】（Ａ）〜（Ｅ）は照明器具の外観を示す正面図、側面図、背面図、平面図、底面図である。
【図３】（Ａ）は灯体内部を示す正面図、（Ｂ）は同じく側面図である。
【図４】（Ａ）は蛍光ランプの平面図、（Ｂ）は同じく側面図である。
【図５】点灯装置の斜視図である。
【図６】（Ａ）は点灯装置の平面図、（Ｂ）は同じく正面図、（Ｃ）は同じく側面図である。
【図７】従来の照明器具を示す一部省略の分解斜視図である。
【符号の説明】
【００３６】
１０  照明器具
１３  可動アーム
２０  灯体
２０ａ  照射面
３０  蛍光ランプ
３１  発光管
３１ａ  中央部
３２  口金
３３  ランプピン
４０  点灯装置
４４  短辺（最小面積側面）
ＣＬ  旋回軸
【図１】
2008204697.tif 000003
【図２】
2008204697.tif 000004
【図３】
2008204697.tif 000005
【図４】
2008204697.tif 000006
【図５】
2008204697.tif 000007
【図６】
2008204697.tif 000008
【図７】
2008204697.tif 000009